(57)【特許請求の範囲】
【請求項１】
長手方向中心線（２５）、股下領域（２６）、前端領域（２７）、および後端領域（２８）を有する吸収性の使い捨て物品の一部を形成するように意図される吸収体（１５）であって、前記吸収体（１５）が、使用中であるとき、使用者の方を向くように意図され、長手方向縁（３１）を有する第１の吸収層（１６）と、使用中であるとき、前記使用者から離れる方を向くように意図され、長手方向縁（３２）を有する第２の吸収層（１７）とを備え、前記第１の吸収層（１６）が、前記股下領域（２６）に配置される第１の長手方向開口部（２０）を有し、前記第２の吸収層（１７）が、前記股下領域（２６）に配置される第１の長手方向圧縮部（３５）を有し、前記第１の長手方向開口部（２０）と前記第１の長手方向圧縮部（３５）とが互いと重なり合う吸収体（１５）において、
前記第２の吸収層（１７）における前記第１の長手方向圧縮部（３５）の厚さが、前記第２の吸収層（１７）の周辺部に対して５０〜９０％を低減されており、それによって前記吸収体（１５）は、該吸収体（１５）が使用者の腿の間で押し付けられるときに折り曲げられ成形されて、急速に流入する流体に対する一時的な貯蔵場所を形成することを特徴とする、吸収性の使い捨て物品の一部を形成するように意図される吸収体（１５）。
【請求項２】
前記第１の長手方向開口部（２０）と前記第１の長手方向圧縮部（３５）とが、前記長手方向中心線（２５）とに一致することを特徴とする、請求項１に記載の、吸収性の使い捨て物品の一部を形成するように意図される吸収体（１５）。
【請求項３】
前記第１の吸収層（１６）が、前記長手方向中心線（２５）と前記吸収層（１６）の一方の長手方向縁（３１）との間で前記股下領域（２６）に配置される第２の長手方向開口部（２１）を有し、前記第１の長手方向開口部（２０）が、前記長手方向中心線（２５）と前記吸収層（１６）の反対の長手方向縁（３１）との間に配置され、前記第２の吸収層（１７）が、前記長手方向中心線（２５）と前記吸収層（１７）の一方の長手方向縁（３２）との間で前記股下領域（２６）に配置される第２の長手方向圧縮部（３６）を有し、前記第１の長手方向圧縮部（３５）が、前記長手方向中心線（２５）と前記吸収層（１７）の反対の長手方向縁（３２）との間に配置され、前記第２の長手方向開口部（２１）と前記第２の長手方向圧縮部（３６）とが互いと重なり合うことを特徴とする、請求項１に記載の、吸収性の使い捨て物品の一部を形成するように意図される吸収体（１５）。
【請求項４】
前記第１の吸収層（１６）が、前記股下領域（２６）に配置され、前記長手方向中心線（２５）と一致する第３の長手方向圧縮部（３７）を有し、前記第２の吸収層（１７）が、前記股下領域（２６）に配置され、前記長手方向中心線（２５）と一致する第３の長手方向開口部（２２）を有し、前記第３の長手方向圧縮部（３７）と前記第３の長手方向開口部（２２）とが互いと重なり合うことを特徴とする、請求項３に記載の、吸収性の使い捨て物品の一部を形成するように意図される吸収体（１５）。
【請求項５】
捕捉材料（４５）が、使用者の方を向くように意図される前記第１の吸収層（１６）の側部に配置されることを特徴とする、請求項１から４のいずれか一項に記載の、吸収性の使い捨て物品の一部を形成するように意図される吸収体（１５）。
【請求項６】
前記捕捉材料（４５）が２つの別々の部品に分割され、一方の部品が前記長手方向中心線（２５）と一方の長手方向縁（３１、３２）との間に配置され、他方の部品が前記長手方向中心線（２５）と他方の長手方向縁（３１、３２）との間に配置され、それぞれの前記部品が、前記長手方向中心線（２５）から離されていると共に、その隣接する長手方向縁（３１、３２）から離されていることを特徴とする、請求項５に記載の、吸収性の使い捨て物品の一部を形成するように意図される吸収体（１５）。
【請求項７】
前記第１の吸収層（１６）と前記第２の吸収層（１７）とが同じ表面重量を有することを特徴とする、請求項１から６のいずれか一項に記載の、吸収性の使い捨て物品の一部を形成するように意図される吸収体（１５）。
【請求項８】
それぞれの前記吸収層（１６、１７）が、５０ｇ／ｍ２と１０００ｇ／ｍ２との間の表面重量を有することを特徴とする、請求項５に記載の、吸収性の使い捨て物品の一部を形成するように意図される吸収体（１５）。
【請求項９】
それぞれの前記吸収層（１６、１７）が、０％と８０％との間で、いわゆるＳＡＰである高吸収性高分子材料の含有量を有することを特徴とする、請求項１から８のいずれか一項に記載の、吸収性の使い捨て物品の一部を形成するように意図される吸収体（１５）。
【請求項１０】
一方の吸収層（１６、１７）が、他方の吸収層（１６、１７）より長手方向で大きな拡がりを有することを特徴とする、請求項１から９のいずれか一項に記載の、吸収性の使い捨て物品の一部を形成するように意図される吸収体（１５）。
【請求項１１】
前記吸収体（１５）の前記前端領域（２７）と前記後端領域（２８）とが、前記股下領域（２６）より横方向で大きな拡がりを有することを特徴とする、請求項１から１０のいずれか一項に記載の、吸収性の使い捨て物品の一部を形成するように意図される吸収体（１５）。
【請求項１２】
前記使い捨て物品が幼児用おむつで構成されることを特徴とする、請求項１から１１のいずれか一項に記載の、吸収性の使い捨て物品の一部を形成するように意図される吸収体（１５）。
【請求項１３】
前記使い捨て物品が失禁の成人使用者を対象とした失禁パッドで構成されることを特徴とする、請求項１から１２のいずれか一項に記載の、吸収性の使い捨て物品の一部を形成するように意図される吸収体（１５）。
【請求項１４】
液体浸透性の外皮層（２）を備え、
前記外皮層（２）が親水の特性を有し、前記特性が、前記吸収体の前記長手方向縁（３１、３２）と重なり合う長手方向領域に少なくとも配置されることを特徴とする、請求項１２または１３に記載の吸収体を有する吸収性の使い捨て物品。
【発明の詳細な説明】
【技術分野】
【０００１】
本発明は、使い捨て吸収性物品の一部を形成するように意図される吸収体に関する。吸収体は、長手方向中心線、股下領域、前端領域、および後端領域を有する。
【０００２】
吸収体は、使用の際に使用者の方を向くように意図され、長手方向縁を有する第１の吸収層と、使用の際に使用者から離れる方を向くように意図され、長手方向縁を有する第２の吸収層とをさらに備える。第１の吸収層は、股下領域に配置される第１の長手方向開口部を有し、第２の吸収層は、股下領域に配置される第１の長手方向圧縮部を有する。
【背景技術】
【０００３】
吸収性物品の一部を形成するように意図された吸収体は、例えば、物品の失禁の成人着用者が、抑えることができずに、自身の膀胱をすっかりと空にしてしまうといったときに、十分な吸収容量と、急速に出てくる液体を吸い上げる能力とを有していなければならない。
【０００４】
吸収性物品が対象としているものに依存して、吸収容量は、幅広い限度内で変化し、最小の大きさの生理用ナプキンには４グラムの容量は十分であるが、失禁の成人を対象として最も大きい物品には、１０００グラムを超える容量が必要とされる。
【０００５】
十分な吸収容量を備えた物品を製造することは、吸収性物品の吸収体に混合するために、ゲルを形成する高吸収性粒子、いわゆる超吸収剤がある今日では、大きな問題ではない。
【０００６】
今日の非常に薄くてしっかりと圧縮された物品に伴う問題の１つは、大きな流量で分泌されて物品に衝突する液体を物品が吸い上げできることを確保することである。例えば、失禁の成人着用者のための吸収性物品は、１０秒間に排泄される数百ｍｌの尿を吸い上げることができなければならない。吸収性物品の吸収体が、この大きな流れを吸い上げて吸収することができない場合、尿が物品の表面を流れて物品の縁から流れ出すという大きな危険性がある。
【０００７】
急速に分泌される体液を吸い上げるという問題に対する１つの解決策は、吸収体と使用者との間に、吸収体が何とか流体を吸収しようとするのを待っている間に、流体を吸い上げて一時的に貯蔵するように意図される特別な材料層を配置することである。このような材料の例は、例えば、ポリエステル繊維の弾性パッドである。
【０００８】
別の多く用いられる解決策は、今日の薄くて幅広い股下構造から、流体が吸収体を通過する前に一時的に回収され得る椀形の構造を、着用者の腿の間に作り出すことである。物品の吸収体は、この場合には、使用中に着用者の腿の間で一体的に押し合わされるときに物品の形を制御するために、圧縮部、スリット、収縮する伸縮要素などが設けられる。
【０００９】
特許文献１では、吸収性物品が物品の長手方向に実質的に垂直な力に曝されるとき、吸収性物品の形状がどのように制御され得るかが説明されている。
【００１０】
物品は、貫通スリットを有する吸収性層を備え、吸収性層の一方の表面を覆う第１の材料層と、吸収性層の反対の表面を覆う第２の材料層とを備えている。１つの材料層が、前記スリットに至るまで吸収性層に結合される一方で、第２の材料層は前記スリットに至るまで結合されない。物品が、スリットに垂直な方向とされる圧縮力に曝されるとき、物品は、吸収性層の結合されていない側から離れる方向に強制的に曲がる／折り曲げられる。
【００１１】
特許文献２では、物品が使用されるときに使用者の腿の間で成形される吸収体の洗練された変形品が、記載されている。
【００１２】
特許文献２の吸収体は２層から成っており、使用者から離されて配置される層は、長手方向中心線に沿って、股下部において中央に配置された長手方向の開口部を有している。物品の着用者の最も近くに正しく向けられる第２の吸収層は、層の長手方向中心線と層のそれぞれの長手方向の縁との間で対称的に置かれる側方開口部を、有している。
【００１３】
両方の吸収層に長手方向開口部を備えた吸収体の設計は、吸収性物品が、使用者の腿の間で一体的に押し合わされるとき、股下領域においてＷ字状に成形されることを意味していることを、文献は示している。
【００１４】
しかしながら、物品が、使用の際、単純な椀形、Ｕ字形もしくはＶ字形、または、より洗練された椀形、Ｗ字形を取るように設計されるかどうかに拘わらず、物品が、使用者に置かれるとき、意図した形を取らないことが問題であることは、課題であることが判明した。
【００１５】
例えば、物品が使用者の腿からの圧力の力に曝されるとき、物品が逆にされた形を取ることは、例えば、Ｕ字形が代わりに逆さまのＵ字形（∩形）になること、および、Ｗ字形が逆さまのＷ字形（Ｍ字形）になることを意味し、珍しいことではない。
【００１６】
使用者の腿の間で横方向において変形されるときＵ字形、Ｖ字形、またはＷ字形を取るように意図された物品が、使用者の腿に対して非常に小さい反発力を有し、物品が、使用中であるとき、腿に対して効果的に封止できないことは、課題であることも判明した。
【先行技術文献】
【特許文献】
【００１７】
【特許文献１】英国特許出願第２，２９６，４３７号明細書
【特許文献２】国際特許出願公開第２０１１／１０５１０８号パンフレット
【発明の概要】
【発明が解決しようとする課題】
【００１８】
したがって、物品が使用者の腿の間に置かれて一体的に押し合わされるとき、より大きな信頼性のある所望の様態で成形する、改良された吸収性物品に対する要望がある。要求は、吸収性物品が尿失禁のある子供または大人を対象としているかの問題に拘わらず存在する。
【００１９】
さらに、前述による変形された状態において、使用中であるとき、横方向において使用者の腿に対してより大きな反発力のある物品に対する要望がある。
【課題を解決するための手段】
【００２０】
しかしながら、本発明では、以前から知られている吸収体との関連で問題を実質的に排除する、最初に詳述された種類の吸収体が、実現されている。
【００２１】
本発明による吸収体は、第１の長手方向開口部と第１の長手方向圧縮部とが実質的に互いと重なり合うことにおいて、主に異なっている。
【００２２】
互いと重なり合う長手方向開口部と長手方向圧縮部とを備える吸収体のある構成は、本発明による吸収体を備える吸収性物品が、使用者の腿の間で一体的に押し合わされるとき、特定の方法で変形されることを意味している。
【００２３】
本発明の一態様によれば、第１の吸収層の第１の長手方向開口部と第２の吸収層の第１の長手方向圧縮部とは、長手方向中心線と実質的に一致する。
【００２４】
開口部と圧縮部とを中心に置くことで、吸収体を備える物品が使用者の腿の間で一体的に押し合わされるとき、中心に置かれたＶ字形が形成される。
【００２５】
本発明の別の態様によれば、第１の吸収層は、吸収層の長手方向中心線と一方の長手方向縁との間で股下領域に配置される第２の長手方向開口部を有し、第１の長手方向開口部は、長手方向中心線と反対の長手方向縁との間に配置される。
【００２６】
第２の吸収層は、さらに、長手方向中心線と吸収層の一方の長手方向縁との間で股下領域に配置される第２の長手方向圧縮部を有し、第１の長手方向圧縮部は、長手方向中心線と反対の長手方向縁との間に配置される。
【００２７】
この場合、第１の長手方向開口部と第１の長手方向圧縮部とが実質的に互いと重なり合うのと同じ方法で、第２の長手方向開口部と第２の長手方向圧縮部とは実質的に互いと重なり合う。
【００２８】
重なり合う開口部と圧縮部とを中心線の各々の側に配置することで、吸収体を備える物品が使用者の腿の間で一体的に押し合わされるとき、対称的なＵ字形が形成される。
【００２９】
本発明のさらなる態様によれば、第１の吸収層は、股下領域に配置されると共に長手方向中心線と実質的に一致する第３の長手方向圧縮部を有し、第２の吸収層は、股下領域に配置されると共に長手方向中心線と実質的に一致する第３の長手方向開口部を有する。第３の長手方向圧縮部と第３の長手方向開口部とは互いと重なり合う。
【００３０】
吸収体を備える物品が使用者の腿の間で一体的に押し合わされるとき、対称的なＷ字形が作り出される。
【００３１】
本発明の態様によれば、吸収体は、使用者の方を向くように意図される第１の吸収層の側部に配置される捕捉材料を備える。
【００３２】
本発明による特別な捕捉材料は、急速に入ってくる流体を吸い上げ、隣接する吸収層がその流体を吸い上げることができる前に、その流体を一時的に貯蔵する。
【００３３】
本発明の態様によれば、捕捉材料は２つの別々の部品に分割される。一方の部品は長手方向中心線と一方の長手方向縁との間に配置され、他方の部品は長手方向中心線と他方の長手方向縁との間に配置される。
【００３４】
捕捉材料のそれぞれの部品は、長手方向中心線から離されていると共に、その隣接する長手方向縁から離されている。
【００３５】
２つの部品の捕捉材料は、使用中であるときに吸収性物品がその長手方向中心線の周りで一体的に完全に折り畳まれるとき、つまり、吸収性物品の半分が、物品の反対の長手方向の半分にもたれ掛かるとき、特に有利である。
【００３６】
本発明の態様によれば、第１の吸収層および第２の吸収層は実質的に同じ表面重量を有し、それぞれの吸収層の表面重量は５０ｇ／ｃｍ２と１０００ｇ／ｃｍ２との間で異なり得る。
【００３７】
別の態様によれば、それぞれの吸収層は、０％と８０％との間で、いわゆるＳＡＰである高吸収性高分子材料の含有量を有し得る。
【００３８】
一方の吸収層は、本発明の一態様によれば、第２の吸収層より長手方向で大きな拡がりを有し、別の態様によれば、吸収体の前端領域と後端領域とは、股下領域より横方向で大きな拡がりを有する。
【００３９】
一態様によれば、本発明による吸収体を含んでいる使い捨て物品は、幼児のおむつから成り、別の態様によれば、失禁の成人使用者のための失禁パッドで構成される。
【００４０】
本発明の一態様によれば、吸収性の使い捨て物品は、親水の特性を有する液体浸透性の外皮層を備える。
【００４１】
親水の特性は、この場合では、吸収体の長手方向縁と重なり合う長手方向領域に少なくとも配置される。
【図面の簡単な説明】
【００４２】
【図１】吸収体の２つの吸収層が、より明確にするために、互いから分けて示されている、本発明の第１の態様による吸収体の斜視図である。
【図２】吸収体の２つの吸収層が互いにおいて配置されているときの図１の吸収体の図である。
【図２ｂ】特別な２つの部品の捕捉材料が吸収体に配置されているときの図２の吸収体の図である。
【図３ａ】図１および図２による吸収体を備えている、尿吸収を対象としている吸収性物品を示す図である。
【図３ｂ】物品が、使用者の腿から、長手方向に垂直な横方向の力に曝されるとき、図３ａの断面Ａ−Ａが、使用の際に、どのように成形されるかを示す図である。
【図３ｃ】物品が、使用者の腿の間の距離が小さい場合に、使用者の腿から、長手方向に垂直な横方向の力に曝されるとき、図３ａの断面Ａ−Ａが、使用の際に、どのように成形され得るかを示す図である。
【図４ａ】吸収体の２つの吸収層が、より明確にするために、互いから分けて示されている、本発明の別の態様による吸収体の斜視図である。
【図４ｂ】吸収体の２つの吸収層が互いにおいて配置されているときの図４ａの吸収体の図である。
【図４ｃ】図４ｂの吸収体が、使用者の腿から、長手方向に垂直な横方向の力に曝される吸収体に配置されるとき、図４ｂの断面Ｂ−Ｂが、使用の際に、どのように成形されるかを示す図である。
【図５】吸収体の２つの吸収層が、より明確にするために、互いから分けて示されている、本発明の第３の態様による吸収体の斜視図である。
【図６】吸収体の２つの吸収層が互いにおいて配置されているときの図５の吸収体の図である。
【図７】図６の吸収体が、使用者の腿から、長手方向に垂直な横方向の力に曝される吸収体に配置されるとき、図６の断面Ｃ−Ｃがどのように成形されるかを示す図である。
【発明を実施するための形態】
【００４３】
本発明は、吸収性物品の一部を形成するように意図される吸収体に関する。吸収体は少なくとも２つの吸収層を備え、一方の吸収層は、使用の際、使用者の方に向けられ、他方の吸収層は、使用の際、使用者から離れる方に向けられる。
【００４４】
少なくとも、使用者を方に配置された吸収層は、少なくとも１つの長手方向開口部を有し、使用者から離して配置された吸収層は、少なくとも１つの長手方向圧縮部を有する。
【００４５】
吸収体を備えている吸収物品が、使用者に置かれ、使用者の腿の間で横方向に一体的に押し合わされるとき、所望の様態で成形されるように、２つの吸収層の開口部および圧縮部が協働するような方法で、２つの吸収層は配置される。
【００４６】
本発明の第１の態様は、吸収性物品に組み込まれており、物品が使用者の腿の間で横方向に一体的に押し合わされるとき、椀形（Ｕ字形）を取る吸収体に、関連する。
【００４７】
本発明は、前述のように成形される吸収体を備えている吸収性物品にも関連する。複数の種類の吸収性物品は、この場合、吸収性物品によって、例えば、一体式のおむつ、パンツ式のおむつ、ベルト式のおむつ、または、生理用ナプキンなど、吸収性物品によって意味される。
【００４８】
いわゆる一体式のおむつは、おむつが使用者の腰の周りに付けられるとき、おむつの前方腰部と後方腰部とが結合されるのに用いられる留め付けタブを備えていることを、特徴とする。一体式のおむつは、脚の切り抜き部による伸縮領域と、腰部分の少なくとも一部が伸縮要素を通常備えている腰領域と関連している伸縮領域とを、通常備えている。留め付けタブは、一部の一体式のおむつでは、伸縮領域を備えている。さらに、留め付けタブは、接着体が付着する両方の端領域における表面に連結される接着表面を備え得る。面ファスナー（ｈｏｏｋ  ａｎｄ  ｌｏｏｐ）式の留め付けシステムが、今日では一般的に行われている。
【００４９】
いわゆるパンツ式のおむつは、すでに、その股下部において実質的に横方向の折り目の周りで製造の間に折り曲げられてから、腰のところで結合されていることを、主に特徴としている。この種類のおむつは、正しく下着のパンツのように使用者に着用される、つまり、使用者の脚にわたって引き寄せられるように、意図されている。パンツ式のおむつの腰部分における結合は、通常、破って開けることができ、パンツ式のおむつは、取り外されるときに使用者の足から引っ張り出されることを必要とせずに、使用後に取り外すことができる。この選択肢は、パンツ式のおむつが、使用後に排泄物で汚れているとき、特に高く評価される。パンツ式のおむつは、通常は、腰部の伸縮領域と、脚開口部の周りの伸縮領域との両方を備えている。
【００５０】
開けて再び閉じることができるパンツ式のおむつも存在し得る。このようなパンツ式のおむつは、腰のところで一体的に折られて供給されるが、例えば、物品の内容物を確認するために開けてから、その後に再び閉じることができる。
【００５１】
ベルト式のおむつは、おむつの吸収性の部分に対して横方向に配向され、おむつの前方または後方のいずれかの横方向の縁に連結されるベルトを備えることを特徴とする。
【００５２】
このようなベルト式のおむつを身につけるとき、ベルトは、第１の段階において、使用者の腰の周りに固定される。ベルトの吸収性の部分は、この場合、ベルトからゆったりとぶら下がっている。次に、おむつの吸収性の部分が使用者の脚の間に導かれ、ベルトに留め付けられ、ベルトは、その横方向の自由縁でおむつの吸収性の部分に配置された固定要素に付着するように意図された固定表面を備える。ベルトおよび脚開口部は、通常、ベルト式のおむつでは伸縮性とされている。
【００５３】
別の種類のベルト式のおむつは、２つの部品になっており、分割したベルトと分割した吸収性構造体で構成される。使用中であるとき、ベルトは使用者の腰の周りに留め付けられ、それに続いて、吸収性構造体が、吸収性構造体の角において、面ファスナー要素またはテープ要素を用いてベルトの外側に結合される。
【００５４】
一体式のおむつ、パンツ式のおむつ、またはベルト式のおむつは、まだトイレを使えない子供を対象としている幼児用おむつ、または、失禁の成人使用者を対象としている失禁防御で構成され得る。
【００５５】
図１および図２は、本発明の第１の態様による吸収体１５を示している。吸収体１５は、第１の吸収層１６と、何よりもセルロース軟毛パルプを含む第２の吸収層１７とを備えている。
【００５６】
図１では、吸収体１５の第１の吸収層１６および第２の吸収層１７は、明確にするために互いから分離されているが、図２は、吸収性物品に適用されるときに配置されているように、吸収体１５を示している。
【００５７】
代替で、吸収体１５は、さらなる吸収層を備えることができる。多くの吸収体におけるセルロース軟毛パルプは、吸収における大量の流体を流体保持ゲルの形成で化学的に結合する種類の高吸収性高分子材料の繊維または粒子と混合されている。
【００５８】
それぞれの吸収層１６、１７は、５０ｇ／ｃｍ２から１０００ｇ／ｃｍ２までの表面重量を有することができ、いわゆるＳＡＰである高吸収性高分子材料を０〜８０％で含むことができる。
【００５９】
吸収体１５の様々な特性を向上するための構成要素も、吸収体１５の一部を形成できる。このような構成要素の例は、結合繊維、様々な種類の流体を分配する層または繊維、寸法安定化部品、補強繊維などである。このような構成要素は、いずれの図にも示されていない。
【００６０】
吸収層１６、１７は、通常は、吸収性物品全体を製作する同じ機械においてインラインで製作されるが、吸収層１６、１７があらかじめ加工された吸収材料から製作される場合もある。あらかじめ加工された吸収材料は、通常は、ロール状で供給され、材料が切断されて所定の構成へと折り曲げられる。あらかじめ加工された吸収材料は、インラインで製造される吸収体と同じ構成要素を含み得る。結合繊維は、概して、あらかじめ加工された吸収材料が取り扱いの間に一体的に保持するための、あらかじめ加工された吸収材料における必要な構成要素である。
【００６１】
吸収体１５は、前端領域２７と、後端領域２８と、端領域２７、２８の間に配置された股下領域２６とを有している。吸収体１５は砂時計形を有しており、股下領域２６は、前端領域２７および後端領域２８より狭くなっている。
【００６２】
代替で、吸収体１５は、例えば、実質的に矩形の普通の吸収体であるといった、別の形を有してもよい。吸収体１５は長手方向中心線２５を有している。
【００６３】
第１の吸収層１６は長手方向縁３１を有している。
【００６４】
第１の吸収層１６の股下領域２６では、中心線２５と一致して、長手方向開口部２０が配置されている。開口部２０は、股下領域２６においてその主要な拡がりを有しているが、前端領域２７と後端領域２８との両方へと拡がっていてもよい。開口部２０は、長手方向において、第１の吸収層１６の長さの３０％で拡がっている。
【００６５】
本発明の代替の態様では、開口部２０は、長手方向において、第１の吸収層１６の長さの１０％と１００％との間の拡がりを有してもよい。
【００６６】
開口部２０は、長手方向に垂直な１５ｍｍの幅を有しているが、本発明の代替の態様では、２から３０ｍｍの間で、好ましくは５から２０ｍｍの間で、さらにより好ましくは８から１５ｍｍの間で、異なるものであってもよい。
【００６７】
第２の吸収層１７は長手方向縁３２を有している。第２の吸収層１７の股下領域２６では、中心線２５と一致して、長手方向圧縮部３５が配置されている。圧縮部３５は、ここでは、明確に見ることができるように、吸収層１７の周囲部分と関連している。吸収層１７の厚さは、吸収層１７の中心部分において２０〜９０％で、好ましくは５０〜９０％で、さらにより好ましくは７０〜９０％で低減されている。
【００６８】
圧縮部３５は、股下領域２６において、長手方向におけるその主要な拡がりを有しているが、前端領域２７と後端領域２８との両方へと拡がっていてもよい。
【００６９】
圧縮部３５は、長手方向における第２の吸収層１７の長さの３０％で拡がっており、第１の吸収層１６の開口部２０まで拡がっていることを意味している。
【００７０】
本発明の代替の態様では、圧縮部３５は、長手方向において、第１の吸収層１６の開口部２０の長さの３０％から第２の吸収層１７の全長までの拡がりを有してもよい。圧縮部３５は、長手方向に垂直な１５ｍｍの幅を有しているが、本発明の代替の態様では、２から３０ｍｍの間、好ましくは５から２０ｍｍの間、さらにより好ましくは８から１５ｍｍの間の幅を有してもよい。
【００７１】
吸収体１５は、第１の吸収層１６に配置された開口部２０と、第２の吸収層１７に配置された圧縮部３５とが、実質的に互いと重なり合う点において、主に異なっている。試験によれば、一方の層の長手方向開口部と他方の層の長手方向圧縮部とを互いと重なり合わせることによって、吸収体を備えている物品が、長手方向に垂直な力に曝されるとき、所望の態様で実質的により大きな信頼性で成形されることが示されている。さらに、長手方向に垂直な向上された反発力が得られ、これが使用者の腿に対して効果的に封止し、それによって、多くの漏れが回避される。
【００７２】
吸収体１５の股下領域２６は、長手方向中心線２５に実質的に垂直な力に曝されるとき、圧縮部３５を備えている第２の吸収層１７がＶ字形の外側に向けられ、開口部２０を備えている第１の吸収層１６がＶ字形の内側へと向けられた状態で、実質的にＶ字形のように成形される。
【００７３】
第２の吸収層１７の圧縮部３５は、吸収体１５が成形されるとき、折り曲げ用の切り込みのように機能する。第１の吸収層１６の開口部２０の幅は、成形において縮小され、成形において一体的に押し合わされることになる材料をまったく含まない開口部２０のため、成形が妨げられることもない。
【００７４】
図２ｂでは、どのように２つの部品の特別な捕捉材料４５が、吸収体１５を備えている吸収性物品の使用の際、使用者の方を向くように意図されている吸収体１５の側部に配置されているかを示している。
【００７５】
捕捉材料４５の２つの部品は、実質的に細長くされており、吸収体１５の股下領域２６に配置されているが、吸収体１５の前端領域２７および後端領域２８へとそれぞれ伸び出していてもよい。
【００７６】
捕捉材料４５の２つの部品の各々それぞれの部分は、中心線２５と吸収体１５の長手方向縁３１、３２との間で横方向に配置されており、横方向における最も外側に配置されている捕捉材料４５の縁４６のそれぞれの部分は、吸収体１５の長手方向縁３１、３２から１０〜３０ｍｍ、好ましくは１５〜３０ｍｍの距離に配置されている。
【００７７】
代替で、捕捉材料４５は、より大きな中心開口部を有する材料で構成されてもよく、捕捉材料４５の長手方向外側の縁は、上記の２つの部品の捕捉材料４５について定められたように、吸収体１５の長手方向縁３１、３２から同じ距離に配置される。
【００７８】
捕捉材料４５は、捕捉材料４５がある第１の吸収層１６より大きな細孔を有している。例えば、捕捉材料４５は、ポリエチレン、ポリプロピレン、またはポリエステルの合成繊維から成る。また、いわゆる２つの構成要素の繊維は、繊維品質のポリエチレン、ポリプロピレン、またはポリエステルのうちの少なくとも１つを含む。捕捉材料４５の役割は、後で吸収体１５によってより遅い速度で流出されるようにするために、大きな流量で物品に衝突する流体を吸い上げて一時的に貯蔵することである。
【００７９】
図３ａは、本発明の第１の態様による吸収体１５を備えている吸収性物品６を示している。
【００８０】
物品６は、幼児用おむつ、または、失禁の成人使用者を対象としている失禁パッドで構成され得る。
【００８１】
図３ａに示す吸収性物品６は、いわゆる一体式のおむつであるが、本発明に特異的な椀形は、例えば、パンツ式のおむつや、ベルト式のおむつなど、尿吸収を対象としている代替の物品にも関連している。
【００８２】
物品６は、使用の際に使用者の方を向くように意図されている物品の表面にわたって配置されている液体浸透性の外皮層２と、使用の際に使用者から離れる方を向くように意図されている物品６の表面にわたって配置されている後方層４を備えている。
【００８３】
液体浸透性の外皮層２と後方層４との間に配置されるのは、本発明の第１の態様による吸収体１５である。吸収体１５は、図１、図２、および図２ｂとの関連で先に記載されている。
【００８４】
物品６が液体浸透性の外皮層２においてどのように作り上げられるかをより明確にするために、この領域が開けられている。開けられている領域では、物品６を通って上部から底部へと、２つの部品の捕捉材料４５、吸収体１５、第１の吸収層１６の長手方向開口部２０、および、第２の吸収層１７の長手方向圧縮部３５を、見ることができる。
【００８５】
液体浸透性の外皮層２は、吸収体１５の全周に沿って、吸収体１５の外側で延在している。外皮層２は、目的に適した任意の材料で構成され得る。一般的に存在する液体浸透性の外皮層の例には、不織布材料、多孔性プラスチック膜、プラスチックまたは織物の網、および、液体浸透性の発泡層がある。
【００８６】
横方向において最も外側に配置された２つの部品の捕捉材料４５の縁４６と吸収体１５の長手方向縁３１、３２との間の領域において、液体浸透性の外皮層２は親水の特性を有している。これらの２つの縁領域における親水の特性は、液体浸透性の外皮層２の上部を流れる流体が、確実により大きな可能性で阻止され、吸収体１５へと運ばれる。親水の特性は、例えば、液体浸透性の外皮層２を表面活性物質で処理することによって、得ることができる。
【００８７】
後方層４も、その全周に沿って、吸収体１５の外側で延在している。よく存在する後方層は、通常は、液体非浸透性であり、薄い液体非浸透性のプラスチック膜で構成される。
【００８８】
液体非浸透性だが蒸気浸透性の材料で構成される後方層４が、多くの種類の吸収性物品において、現在は概して標準的である。蒸気浸透性は、物品が呼吸できることで、使用するのに物品をかなりより快適させることを意味する。
【００８９】
液体の障壁として作用する液体非浸透性の材料と、物品の外向きに配向された表面において物品を衣服のようにするための織物状の材料とを備える積層から成る後方層も、多かれ少なかれ、今日では標準的として考えられるものである。
【００９０】
液体浸透性の外皮層２と後方層４とは、吸収体１５の全周の外側で互いと結合されている。
【００９１】
吸収性物品６は脚伸縮部５を有している。脚伸縮部５は、吸収体１５の長手方向縁と物品６の長手方向縁との間で長手方向に延在している。脚伸縮部は、使用者の腿に対して封止することで、流体が物品の縁から流れ出るのを防止するように意図されている。
【００９２】
脚伸縮部５は、液体浸透性の外皮層２と後方層４との間に配置された３つの伸縮要素を備えているが、代替の物品では、より多い、または、より少ない伸縮要素を備えてもよい。
【００９３】
流体または排泄物が吸収性物品の縁から漏れ出すのをさらに防止するために、物品には、いわゆる立体ギャザーである、内側横漏れ障壁１１が設けられている。内側横漏れ障壁１１は、吸収体１５の長手方向縁の近くに横たわって配置されている。それぞれの内側横漏れ障壁１１は、それらの自由縁に隣接して、あらかじめ応力の掛けられた状態で横漏れ障壁１１に連結された伸縮要素１２を備えている。伸縮要素は、１つまたは複数の伸縮性のある糸、伸縮性のあるリボン、伸縮性のある膜、伸縮性のある発泡体、または代替品で構成され得る。
【００９４】
内側横漏れ障壁１１は、別々の個々に折られた材料片から成り、材料片の周縁が液体浸透性の外皮層２に連結されている。代替で、横漏れ障壁１１は、液体浸透性の外皮層２におけるプリーツで構成されてもよい。
【００９５】
あらかじめ応力の掛けられた伸縮要素１２は、解放されるとき、内側横漏れ障壁１１の自由縁と一体的に収縮し、内側横漏れ障壁１１は、少なくとも物品６の股下部において、液体浸透性の外皮層２から離れた立ち上がった構成にさせられる。
【００９６】
吸収性物品６の後方部には、物品６の後方横方向の縁に沿って配置された伸縮要素から成る、いわゆる腰伸縮部８が設けられている。腰伸縮部８は、吸収性物品６に、使用者の腰の周りを柔らかく柔軟に取り囲ませるために意図されている。記載した物品では、後方部だけに腰伸縮部８が設けられている。代替の物品では、前方部にも腰伸縮部が設けられてもよい。
【００９７】
吸収性物品６の後方部には、配置される使用者に物品を着用したときに前方部と結合されるように意図された特別な留め付け要素９がある。
【００９８】
図３ｂは、物品６が、使用中であるとき、使用者の腿から横方向の力（Ｆ）に曝されるとき、図３ａの断面Ａ−Ａがどのように成形されるかを示している。
【００９９】
図１および図２との関連で先に記載されている吸収体１５は、物品の液体浸透性の外皮層２と後方層４との間に配置される。
【０１００】
吸収体１５は、使用中であるとき、第１の吸収層１６が使用者の方に向けられ、第２の吸収層１７が使用者から離れる方に向けられた状態で、配置される。
【０１０１】
２つの部品の捕捉材料４５は、第１の吸収層１６と液体浸透性の外皮層２との間に配置される。
【０１０２】
内側横障壁１１は、吸収体１５の長手方向縁の近くに配置される。
【０１０３】
図は、圧縮部が効果的な折り曲げ用の切り込みを形成している第２の吸収層１７の長手方向圧縮部３５の周りで自らを成形する吸収体１５によって、椀形がどのように成形されるかを示している。第１の吸収層１６の開口部２０は、吸収体１５が折り曲げ／成形されるとき、同時に幅が縮小され、また、開口部２０が一体的に押し合わされなければならない材料をまったく備えていないことにより、折り曲げ／成形において抵抗が生じない。
【０１０４】
椀形は、尿が供給される速さで吸収体１５によって吸収できない尿が、作り出された椀形に一時的に貯蔵できることを、意味している。
【０１０５】
図３ｃは、物品が、使用者の腿の間の距離が小さい場合に、使用者の腿から、長手方向に垂直な横方向の力に曝されるとき、図３ａの断面Ａ−Ａが、使用の際に、どのように成形され得るかを示す図である。
【０１０６】
それによって、物品の股下領域は横方向でかなり圧縮されており、中心線２５の一方の側に配置された２つの部品の捕捉材料４５の一方の部品が、中心線の他方の側に配置された２つの部品の捕捉材料４５の他方の部品に、実質的にもたれ掛かる。極端に言えば、２つの部品の捕捉材料４５の両方の部品が互いにもたれ掛かることが起こる。
【０１０７】
図４ａおよび図４ｂは、本発明の代替の態様による吸収体１５を示している。吸収体１５は、第１の吸収層１６と、少なくともセルロース軟毛パルプを含む第２の吸収層１７とを備えている。
【０１０８】
図４ａでは、吸収体１５の第１の吸収層１６および第２の吸収層１７は、明確にするために互いから分離されているが、図４ｂは、吸収性物品に適用されるときに配置されているように、吸収体１５を示している。
【０１０９】
吸収体１５は、前端領域２７と、後端領域２８と、端領域２７、２８の間に配置された股下領域２６と、長手方向中心線２５とを有している。
【０１１０】
第１の吸収層１６は長手方向縁３１を有している。
【０１１１】
さらに、第１の吸収層１６は、第１の長手方向開口部２０と第２の長手方向開口部２１とを有している。
【０１１２】
開口部２０、２１は、股下領域２６において、長手方向においてそれらの主要な拡がりを有しているが、前端領域２７と後端領域２８との両方へと拡がっていてもよい。
【０１１３】
横方向において、開口部２０、２１は、中心線２５の各々の側部において、前記中心線２５とそれぞれの長手方向縁３１との間に配置されている。
【０１１４】
開口部２０、２１は、第１の吸収層１６の長さの３０％で長手方向に拡がっているが、本発明の代替の態様では、第１の吸収層１６の長さの１０％と１００％との間の長手方向の拡がりを有してもよい。
【０１１５】
長手方向に垂直に、開口部は、１５ｍｍの幅を有しているが、本発明の代替の態様では、２から３０ｍｍの間、好ましくは５から２０ｍｍの間、さらにより好ましくは８から１５ｍｍの間で、異なるものであってもよい。
【０１１６】
第２の吸収層１７は長手方向縁３２を有している。
【０１１７】
さらに、第２の吸収層１７は、第１の長手方向圧縮部３５と第２の長手方向圧縮部３６とを有している。圧縮部３５、３６は、股下領域２６において、長手方向におけるその主要な拡がりを有しているが、前端領域２７と後端領域２８との両方へと拡がっていてもよい。横方向において、圧縮部３５、３６は、中心線２５の各々の側部において、前記中心線２５とそれぞれの長手方向縁３２との間に配置されている。
【０１１８】
圧縮部３５、３６は、第２の吸収層１７の長さの３０％で長手方向に拡がり、これは、圧縮部３５、３６が第１の吸収層１６の開口部２０、２１まで拡がっていることを意味している。
【０１１９】
本発明の代替の態様では、圧縮部３５、３６は、長手方向において、第１の吸収層１６の開口部２０、２１の長さの３０％から第２の吸収層１７の全長までの拡がりを有してもよい。
【０１２０】
圧縮部３５、３６は、長手方向に垂直な１５ｍｍの幅を有しているが、本発明の代替の態様では、２から３０ｍｍの間、好ましくは５から２０ｍｍの間、さらにより好ましくは８から１５ｍｍの間の幅を有してもよい。
【０１２１】
圧縮部３５、３６は、吸収層１７の周囲部分と関連しているのを明確に見ることができ、吸収層１７の厚さは、吸収層１７の中心部分において２０〜９０％で、好ましくは５０〜９０％で、さらにより好ましくは７０〜９０％で低減されている。
【０１２２】
吸収体１５は、第１の吸収層１６に配置された第１の開口部２０が、第２の吸収層１７に配置された第１の圧縮部３５と実質的に重なり合う点と、第１の吸収層１６に配置された第２の開口部２１が、第２の吸収層１７に配置された第２の圧縮部３６と実質的に重なり合う点とにおいて、主に異なっている。
【０１２３】
吸収体１５の股下領域２６は、長手方向中心線２５に実質的に垂直な力に曝されるとき、開口部２０、２１を備えている第１の吸収層１６がＵ字形において内側へと向けられた状態で、Ｕ字形のように成形される。圧縮部３５、３６を備えている第２の吸収層１７は、この場合、Ｕ字形において外側へと向けられる。
【０１２４】
図１および図２との関連で先に記載したのと同じ方法で、本発明のこの態様による、吸収体１５についての重なり合う開口部−圧縮部の組み合わせの機能、つまり、圧縮部は、いずれかの材料によって、開口部において一体的に押し合わされることから妨げられることのない折り曲げ用の切り込みのように作用する。
【０１２５】
図４ｃは、吸収体１５が吸収性物品において液体浸透性の外皮層２と液体非浸透性の後方層４との間に配置され、物品が、使用中であるときに使用者の腿から横方向の力（Ｆ）に曝されるとき、図４ｂの断面Ｂ−Ｂがどのように成形されるかを示している。
【０１２６】
吸収性物品は、好ましくは、尿吸収を対象としており、例えば、幼児用おむつ、または、成人使用者を対象としている失禁物品であり得る。
【０１２７】
図４ａおよび図４ｂとの関連で先に記載されている吸収体１５は、物品の液体浸透性の外皮層２と後方層４との間に配置される。
【０１２８】
吸収体１５は、使用中であるとき、第２の吸収層１７が使用者から離れる方に向けられ、第１の吸収層１６が使用者の方に向けられた状態で、配置される。
【０１２９】
第２の吸収層１７の長手方向圧縮部３５、３６は、第１の吸収層１６の長手方向開口部２０、２１と協働し、Ｕ字形の２つの外向きに配向された側方のプリーツ４０、４１を形成する。
【０１３０】
２つの部品の捕捉材料４５は、第１の吸収層１６と液体浸透性の外皮層２との間に配置され、内側横障壁１１は、吸収体１５の長手方向縁の近くに配置される。
【０１３１】
２つの外向きに配向された横方向のプリーツ４０、４１は、効果的な折り曲げ用の切り込みしている第２の吸収層１７のそれぞれの圧縮部３５、３６の周りに成形されている。第１の吸収層１６の２つの長手方向開口部２０、２１は、横方向のプリーツ４０、４１が折り曲げ／成形されるとき、幅が縮小され、また、開口部２０、２１が材料をまったく備えていないことにより、折り曲げ／成形において抵抗が生じない。
【０１３２】
図５および図６は、本発明のさらなる態様による吸収体１５を示している。吸収体１５は、図４ａおよび図４ｂとの関連で先に記載されている吸収体と同じ方法で実質的に作り上げられているが、第１の吸収層１６が第３の長手方向圧縮部３７を有しており、第２の吸収層１７が第３の長手方向開口部２２を有している点が加えられている。
【０１３３】
図５では、吸収体１５の第１の吸収層１６および第２の吸収層１７は、明確にするために互いから分離されているが、図６は、吸収性物品で適用されるときに配置されているように、吸収体１５を示している。
【０１３４】
第３の圧縮部３７は、中心線２５と一致しており、股下領域２６において、長手方向におけるその主要な拡がりを有しているが、前端領域２７と後端領域２８との両方へと拡がっていてもよい。
【０１３５】
圧縮部３７は、第１の吸収層１６の長さの３０％で長手方向に拡がっているが、本発明の代替の態様では、第２の吸収層１７の開口部２２の長さの３０％から、第１の吸収層１６の全長までで、長手方向の拡がりを有してもよい。
【０１３６】
圧縮部３７は、さらに、長手方向に垂直な１５ｍｍの幅を有しているが、本発明の代替の態様では、２から３０ｍｍの間、好ましくは５から２０ｍｍの間、さらにより好ましくは８から１５ｍｍの間の幅を有してもよい。
【０１３７】
第３の長手方向開口部２２は、中心線と一致しており、股下領域２６において、長手方向におけるその主要な拡がりを有しているが、前端領域２７と後端領域２８との両方へと拡がっていてもよい。
【０１３８】
開口部２２は、第２の吸収層１７の長さの３０％で長手方向に拡がっているが、本発明の代替の態様では、第２の吸収層１７の長さの１０％と１００％との間の長手方向の拡がりを有してもよい。
【０１３９】
開口部は、長手方向に垂直な１５ｍｍの幅を有しているが、本発明の代替の態様では、２から３０ｍｍの間で、好ましくは５から２０ｍｍの間で、さらにより好ましくは８から１５ｍｍの間で、異なるものであってもよい。
【０１４０】
吸収体１５は、第２の吸収層１７に配置された開口部２２と、第１の吸収層１６に配置された第３の圧縮部３７とが、実質的に互いと重なり合う点と、および、第１の吸収層１６に配置された第１の開口部２０が、第２の吸収層１７に配置された第１の圧縮部３５と実質的に重なり合う点と、第１の吸収層１６に配置された第２の開口部２１が、第２の吸収層１７に配置された第２の圧縮部３６と実質的に重なり合う点とにおいて、主に異なっている。
【０１４１】
吸収体１５の股下領域２６は、長手方向中心線２５に実質的に垂直な力に曝されるとき、圧縮部３７と開口部２０、２１とを備えている第１の吸収層１６がＷ字形において内側へと向けられた状態で、Ｗ字形のように成形される。開口部２２と圧縮部３５、３６とを備えている第２の吸収層１７は、ここでは、Ｗ字形において外側へと向けられる。
【０１４２】
図７は、吸収体１５が吸収性物品において液体浸透性の外皮層２と液体非浸透性の後方層４との間に配置され、物品が、使用中であるときに使用者の腿から横方向の力（Ｆ）に曝されるとき、図６の断面Ｃ−Ｃがどのように成形されるかを示している。
【０１４３】
図５および図６との関連で先に記載されている吸収体１５は、物品の液体浸透性の外皮層２と後方層４との間に配置される。
【０１４４】
吸収体１５は、使用中であるとき、第２の吸収層１７が使用者から離れる方に向けられ、第１の吸収層１６が使用者の方に向けられた状態で、配置される。
【０１４５】
第２の吸収層１７の長手方向圧縮部３５、３６は、第１の吸収層１６の長手方向開口部２０、２１と協働し、Ｗ字形の２つの外向きに配向された側方のプリーツ４０、４１を形成する。
【０１４６】
２つの部品の捕捉材料４５は、第１の吸収層１６と液体浸透性の外皮層２との間に配置され、内側横障壁１１は、吸収体１５の長手方向縁の近くに配置される。
【０１４７】
２つの外向きに配向された横方向のプリーツ４０、４１は、図４ｃとの関連で先に記載したのと同じ方法で成形される。
【０１４８】
第１の吸収層１６の第３の長手方向圧縮部３７は、第２の吸収層１７の長手方向開口部２２と協働し、Ｗ字形の内向きに配向された中心のプリーツ３９を形成する。中心のプリーツ３９は、圧縮部が効果的な折り曲げ用の切り込みを形成する第１の吸収層１６の圧縮部３７の周りに成形される。第２の吸収層の開口部２２は、中心のプリーツ３９が折り曲げ／成形されるとき、幅が縮小され、また、開口部２２が材料をまったく備えていないことにより、折り曲げ／成形において抵抗が生じない。
【０１４９】
本発明は、本発明の記載した態様の考えられ得るすべての組み合わせも網羅している。
【０１５０】
さらに、本発明は、本発明の前述の態様に限定されず、以下の特許請求項の範囲内の他の組み合わせに対しても必然的に用いられ得る。
【符号の説明】
【０１５１】
２  外皮層
４  後方層
５  脚伸縮部
６  吸収性物品
８  腰伸縮部
９  留め付け要素
１１  内側横漏れ障壁
１２  伸縮要素
１５  吸収体
１６  第１の吸収層
１７  第２の吸収層
２０  長手方向開口部、第１の長手方向開口部
２１  第２の長手方向開口部
２２  第３の長手方向開口部
２５  長手方向中心線
２６  股下領域
２７  前端領域
２８  後端領域
３１  長手方向縁
３２  長手方向縁
３５  長手方向圧縮部、第１の長手方向圧縮部
３６  第２の長手方向圧縮部
３７  第３の長手方向圧縮部
３９  プリーツ
４０  プリーツ
４１  プリーツ
４５  捕捉材料
４６  縁
【図１】
0006266018.tif 000002
【図２】
0006266018.tif 000003
【図２ｂ】
0006266018.tif 000004
【図３ａ】
0006266018.tif 000005
【図３ｂ】
0006266018.tif 000006
【図３ｃ】
0006266018.tif 000007
【図４ａ】
0006266018.tif 000008
【図４ｂ】
0006266018.tif 000009
【図４ｃ】
0006266018.tif 000010
【図５】
0006266018.tif 000011
【図６】
0006266018.tif 000012
【図７】
0006266018.tif 000013